(57)【要約】【課題】画像データの処理を改善するデジタルカメラの提供。【解決手段】撮影された画像を画像データとして撮影時情報と共に記録するデジタルカメラにおいて、撮影時の場所を特定する位置検出手段と移動通信網を介して所定の端末に画像データを自動転送する自動転送手段を備えると共に、文字入力手段を備えたことにより、デジタルカメラ以外の機器を用いずに、「撮影時位置情報」を検出し画像データに付加することができ、また、「撮影者名」や「画像タイトル」のような任意撮影時情報を文字入力できるので、簡単に従来より詳しい撮影時情報を画像データと共に記録することができるようになると共に、より詳細な画像データの分類・収納作業や検索に貢献できる。また、移動通信網を介して所定の端末に画像データを自動転送する自動転送手段を備えているので、メモリカードの残容量を気にすることなく、画像データを記録することができる。【選択図】　　　　　図４
0003099081.tif 000002
【実用新案登録請求の範囲】
【請求項１】
撮影された画像を画像データとして撮影時情報と共に記録するデジタルカメラにおいて、撮影時の場所を特定する位置検出手段と移動通信網を介して所定の端末に画像データを自動転送する自動転送手段を備えると共に、文字入力手段を備えたことを特徴とするデジタルカメラ。
【請求項２】
本体表面の一部に太陽電池を設けて、当該太陽電池を予備電源とすることを特徴とする請求項１記載のデジタルカメラ。
【考案の詳細な説明】
【０００１】
【考案の属する技術分野】
本考案は、撮影された画像を撮影時情報と共に画像データとして記録するデジタルカメラにおいて、画像データの処理を改善するデジタルカメラの構造に関するものである。
【０００２】
【従来の技術】
近年、ＣＣＤ（Ｃｈａｒｇｅ　Ｃｏｕｐｌｅｄ　Ｄｅｖｉｃｅ）に代表される受光素子を使用し、銀塩フィルムに代えて、メモリカードに撮影した画像データを記録するデジタルカメラが普及しており、従来のこの種デジタルカメラは、具体的には図示しないが、画像データに撮影時情報として、「撮影日時」や「撮影カメラ名称」や「シャッタースピード」を付加して記録することができる。
【０００３】
又、デジタルカメラ本体に着脱可能にメモリカードを配置すると共に、当該メモリカードは、容量の許す限り画像データを記録されて、容量がなくなった際には、画像データをパーソナルコンピューターやＣＤ−ＲＯＭ等の別の場所に移動することにより何度でも使用することができる。
【０００４】
【考案が解決しようとする課題】
従って、従来のデジタルカメラにあっても、画像データに撮影時情報を付加することによって、パーソナルコンピューター等での画像データの分類・収納作業や検索が容易となるが、「撮影時位置情報」や「撮影者名」や「画像タイトル」のようなさらに詳しい撮影時情報を記録したい場合には、別途、位置検出装置で位置を確認する作業や、パーソナルコンピューター等の文字入力手段を備えた機器で撮影時情報を入力する作業を余儀なくされることとなる。
【０００５】
また、メモリカードは、画像データを別の場所に移動することによって、何度でも使用することができるが、一度に入る容量には限度があるために、大量の画像データを記録することができず、また、容量がなくなった際にすぐに画像データを別の場所に移すことができない場合には、別のメモリカードを用意したり、記録されている画像データを消去したりしなければならなかった。
【０００６】
【課題を解決するための手段】
本考案は、斯かる従来のデジタルカメラが抱える課題を有効に解決するために開発されたもので、請求項１記載の考案は、撮影された画像を画像データとして撮影時情報と共に記録するデジタルカメラにおいて、撮影時の場所を特定する位置検出手段と移動通信網を介して所定の端末に画像データを自動転送する自動転送手段を備えると共に、文字入力手段を備える構成を採用した。
【０００７】
請求項２記載の考案は、請求項１を前提として、本体表面の一部に太陽電池を設けて、当該太陽電池を予備電源とする構成を採用した。
【０００８】
依って、請求項１記載の考案にあっては、デジタルカメラ自体に位置検出手段や文字入力手段を備えている関係で、デジタルカメラ以外の機器を用いずに、「撮影時位置情報」を検出し画像データに付加することができ、また、「撮影者名」や「画像タイトル」のような任意撮影時情報を文字入力できるので、簡単に従来より詳しい撮影時情報を画像データと共に記録することができるようになると共に、より詳細な画像データの分類・収納作業や検索に貢献できる。
【０００９】
また、移動通信網を介して所定の端末に画像データを自動転送する自動転送手段を備えているので、メモリカードの残容量を気にすることなく、画像データを記録することができる。
【００１０】
請求項２記載の考案にあっては、本体表面の一部に太陽電池を設けて、当該太陽電池を予備電源とするので、充電池等の主電源が完全に切れてしまった場合に、転送設定情報や設定日時等の本体に保存されている基礎情報を維持するための電源を確保できる。
【００１１】
【考案の実施の形態】
以下、本考案を図示する好適な実施の形態に基づいて詳述すれば、当該実施の形態に係るデジタルカメラも、基本的には、従来のデジタルカメラと同様に、図１・図２に示す如く、レンズ部２とシャッター３と液晶表示部４を備えた本体１と、該本体１に着脱可能に配置されたメモリカード５からなるものであるが、特徴とするところは、上記の構成に加えて、図４に示すように、撮影時の場所を特定する位置検出手段１０と移動通信網を介して所定の端末に画像データを自動転送する自動転送手段１２を備えると共に、文字入力手段１１を備える構成を採用した点にある。尚、図４中、ａは、従来より撮影時情報として画像データに付加されていた「撮影日時」や「撮影カメラ名称」や「シャッタースピード」を指し、ｂは、撮影時位置情報を指し、ｃは、「撮影者名」や「画像タイトル」のように任意に決定される撮影時情報を指すものとし、以下、それぞれ、従来撮影時情報ａ、撮影時位置情報ｂ、任意撮影時情報ｃとする。
【００１２】
そこで、まず位置検出手段１０から説明すると、該位置検出手段１０は、ＧＰＳ（Ｇｌｏｂａｌ　Ｐｏｓｉｔｉｏｎｉｎｇ　Ｓｙｓｔｅｍ）等の位置検出システム及び方位磁石を使用することにより、デジタルカメラの位置及び撮影方向を把握して撮影時位置情報ｂを検出し、当該撮影時位置情報ｂを撮影時情報として画像データに付加するものである。この為、デジタルカメラ以外に位置検出装置を用意する必要がなく、改めて入力しなくても自動的に画像データＤに撮影時位置情報ｂが付加されるので、より簡単に撮影時位置情報ｂを画像データＤと共に記録することができるようになると共に、より詳細な画像データＤの分類・収納作業や検索に貢献できる。
【００１３】
次に、文字入力手段１１について説明すると、該文字入力手段１１は、図３に示すように、片手入力可能なテンキー式のキーボード６と上下左右の方向キー７からなり、本体外部の液晶表示部４の近傍に配置され、当該キーボードは、少なくとも、１０個の数字・文字選択キーと変換・確定キーを備える。この為、デジタルカメラ以外に文字入力手段を有する機器を用意しなくても、液晶表示部４で確認しながら、キーボード６と方向キー７を使用して「撮影者名」や「撮影タイトル」のような任意撮影時情報ｃを入力することができ、より詳細な画像データＤの分類・収納作業や検索に貢献できる。
【００１４】
最後に、自動転送手段１２について説明すると、該自動転送手段１２は、本体上面に設けられたアンテナ８を介して、ＰＤＣ（Ｐｅｒｓｏｎａｌ　Ｄｉｇｉｔａｌ　Ｃｅｌｌｕｌａｒ）やＰＨＳ（Ｐｅｒｓｏｎａｌ　Ｈａｎｄｙｐｈｏｎｅ　Ｓｙｓｔｅｍ）等の移動通信網を利用するもので、一度所定の端末を転送先として設定登録しておけば、作業者が移動通信網と接続する行為を行わなくとも、自動的に画像データＤを転送先の端末へ自動転送するものである。この為、メモリカード５の残容量を気にすることなく、画像データＤを記録することができる。
尚、本考案では画像データＤの最初の記録先として、メモリカード５を使用するものであるが、移動通信網と接続できない地域で使用する場合に備えて、本体１を大きくしてメモリカード５の代わりに大容量のカード型ハードディスクを着脱可能に配置することは実施に応じ任意である。
【００１５】
したがって、本考案に係るデジタルカメラで撮影をした場合には、図４に示す流れに沿って説明すると、まず画像データＤが作成され、該画像データＤは従来撮影時情報ａが付加されると共に、位置検出手段１０によって検出された撮影時位置情報ｂを付加される。さらに、画像データＤは、文字入力手段１２により任意撮影時情報ｃを入力され付加される。そして、画像データＤに従来撮影時情報ａと撮影時位置情報ｂ、任意撮影時情報ｃが付加された後、画像データＤは、自動転送手段１２により所定の端末へ転送されることとなる。
【００１６】
尚、本考案に係るデジタルカメラは、上述の構成に加えて、図１・図２に示すように、本体表面の一部に太陽電池９を備え、当該太陽電池９を予備電源とするので、充電池等の主電源が完全に切れてしまった場合に、転送設定情報や設定日時等の本体に保存されている基礎情報を維持するための電源を確保できる。
【００１７】
【考案の効果】
以上の如く、本考案は、上記構成の採用により、請求項１の下では、デジタルカメラ自体に位置検出手段や文字入力手段を備えている関係で、デジタルカメラ以外の機器を用いずに、「撮影時位置情報」を検出し画像データに付加することができ、また、「撮影者名」や「画像タイトル」のような任意撮影時情報を文字入力できるので、簡単に従来より詳しい撮影時情報を画像データと共に記録することができるようになると共に、より詳細な画像データの分類・収納作業や検索に貢献できる。
【００１８】
また、移動通信網を介して所定の端末に画像データを自動転送する自動転送手段を備えているので、メモリカードの残容量を気にすることなく、画像を記録することができる。
【００１９】
請求項２の下では、本体表面の一部に太陽電池を設けて、当該太陽電池を予備電源とするので、充電池等の主電源が完全に切れてしまった場合に、転送設定情報や設定日時等の本体に保存されている基礎情報を維持するための電源を確保できる。
【図面の簡単な説明】
【図１】本考案の実施の形態に係るデジタルカメラを表側から示す斜視図である。
【図２】本考案の実施の形態に係るデジタルカメラを裏側から示す斜視図である。
【図３】文字入力手段を拡大して示す要部説明図である。
【図４】本考案の実施の形態に係るデジタルカメラの機能を説明する模式図である。
【符号の説明】
１　　本体
２　　レンズ部
３　　シャッター
４　　液晶表示部
５　　メモリカード
６　　キーボード
７　　方向キー
８　　アンテナ
９　　太陽電池
１０　位置検出手段
１１　文字入力手段
１２　自動転送手段
ａ　　従来撮影時情報
ｂ　　撮影時位置情報
ｃ　　任意撮影時情報
Ｄ　　画像データ
【図１】
0003099081.tif 000003
【図２】
0003099081.tif 000004
【図３】
0003099081.tif 000005
【図４】
0003099081.tif 000006